【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
撮像手段と、
表示手段に、前記撮像手段で撮影されたライブビュー画像とともに、前記ライブビュー画像における領域であって、前記ライブビュー画像に含まれる被写体にかかわらない位置であり、前記ライブビュー画像の端部を含まず、パノラマ画像を生成する際に第１の画像から切り出される領域内であって、切り出される領域の境界を含まない所定の領域を示すガイドを表示するように制御する表示制御手段と、
パノラマ撮影における一連の撮影で撮像された複数の画像のうち、前記第１の画像における前記所定の領域に対応する領域の全体を含む第１の部分領域と、前記複数の画像のうち前記第１の画像以外における複数の部分領域とを合成してパノラマ画像を生成するように制御する制御手段と、
を有することを特徴とする撮像装置。
【請求項２】
前記撮像手段は、
撮像装置がスイングされている間に連続して画像を撮像することにより、パノラマ撮影における一連の撮影を行うことを特徴とする請求項１に記載の撮像装置。
【請求項３】
前記制御手段は、
撮影指示が終了するまでに前記撮像手段により撮像された複数の画像を用いてパノラマ画像を生成するように制御することを特徴とする請求項１または２に記載の撮像装置。
【請求項４】
前記撮像手段は、
撮影指示から該撮像装置が第一方向にスイングされ、次に前記第一方向と反対の第二方向にスイングされ、少なくとも前記撮影指示されたときに撮像した領域を超えるまで前記第二方向にスイングされることに応じて連続して画像を撮像することにより、パノラマ撮影における一連の撮影を行うことを特徴とする請求項１ないし３の何れか１項に記載の撮像装置。
【請求項５】
前記第１の画像は、前記複数の画像のうち最初に撮像される画像であることを特徴とする請求項１ないし４の何れか１項に記載の撮像装置。
【請求項６】
前記所定の領域を示すガイドは、撮影者に対して人物の顔を収めるように促すための枠であることを特徴とする請求項１ないし５の何れか１項に記載の撮像装置。
【請求項７】
前記制御手段は、
前記第１の部分領域を、前記所定の領域よりも、該撮像装置のスイング方向の両側に大きく設定するように制御することを特徴とする請求項１ないし６の何れか１項に記載の撮像装置。
【請求項８】
前記制御手段は、
前記第１の部分領域を、前記所定の領域よりも、該撮像装置のスイング方向に沿った片側のみに大きく設定するように制御することを特徴とする請求項１ないし６の何れか１項に記載の撮像装置。
【請求項９】
前記制御手段は、
前記第１の部分領域を、前記所定の領域よりも、該撮像装置のスイング方向、および、前記スイング方向と直交する方向にそれぞれ大きく設定し、かつ、前記所定の領域の端から前記第１の部分領域の端までの前記スイング方向の距離は前記所定の領域の端から前記第１の部分領域の端までの前記直交する方向の距離よりも大きく設定するように制御することを特徴とする請求項１ないし８の何れか１項に記載の撮像装置。
【請求項１０】
前記制御手段は、
前記第１の画像以外における部分領域を、前記第１の部分領域よりも、該撮像装置のスイング方向の両側に小さく設定するように制御することを特徴とする請求項１ないし９の何れか１項に記載の撮像装置。
【請求項１１】
前記表示制御手段は、
パノラマ撮影を行うパノラマ撮影モードが設定されている場合に、前記所定の領域を示す前記ガイドを表示し、前記パノラマ撮影モードではない第２の撮影モードが設定されている場合には前記ガイドを表示しないように制御することを特徴とする請求項１ないし１０の何れか１項に記載の撮像装置。
【請求項１２】
前記表示制御手段は、
パノラマ撮影を行うパノラマ撮影モードが設定されており、かつ、前記撮像手段で撮影者自身を撮影する状態である場合に前記ガイドを表示し、前記撮像手段で撮影者自身を撮影する状態でない場合には前記ガイドを表示しないように制御することを特徴とする請求項１ないし１１の何れか１項に記載の撮像装置。
【請求項１３】
前記制御手段は、
前記ガイドを表示していない場合には、前記第１の画像から前記第１の部分領域よりも狭い部分領域と、前記複数の画像のうち前記第１の画像以外における複数の部分領域とを合成してパノラマ画像を生成するように制御することを特徴とする請求項１ないし１２の何れか１項に記載の撮像装置。
【請求項１４】
前記表示制御手段は、
前記撮像手段により前記第１の画像が撮像された後は、前記所定の領域を示す前記ガイドを表示しないように制御することを特徴とする請求項１ないし１１の何れか１項に記載の撮像装置。
【請求項１５】
前記表示制御手段は、
前記第１の部分領域、および、前記第１の画像以外における部分領域の範囲を示す表示をしないように制御することを特徴とする請求項１ないし１２の何れか１項に記載の撮像装置。
【請求項１６】
前記制御手段は、
撮影指示から該撮像装置が第一方向にスイングされ、次に前記第一方向と反対の第二方向にスイングされた場合、前記第一方向にスイングされたときに撮像された領域を超えていない場合には、前記第二方向にスイングされたときに撮像した画像を合成しないように制御することを特徴とする請求項１ないし１５の何れか１項に記載の撮像装置。
【請求項１７】
前記第１の画像以外における部分領域の画像が合成途中の画像につなぎ合わせができるか否かを判定する判定手段を有し、
前記制御手段は、
前記判定手段による判定結果に応じて画像を合成するように制御することを特徴とする請求項１ないし１６の何れか１項に記載の撮像装置。
【請求項１８】
撮像手段による撮像ステップと、
表示手段に、前記撮像ステップで撮影されたライブビュー画像とともに、前記ライブビュー画像における領域であって、前記ライブビュー画像に含まれる被写体にかかわらない位置であり、前記ライブビュー画像の端部を含まず、パノラマ画像を生成する際に第１の画像から切り出される領域内であって、切り出される領域の境界を含まない所定の領域を示すガイドを表示するように制御する表示制御ステップと、
パノラマ撮影における一連の撮影で撮像された複数の画像のうち、前記第１の画像における前記所定の領域に対応する領域の全体を含む第１の部分領域と、前記複数の画像のうち前記第１の画像以外における複数の部分領域とを合成してパノラマ画像を生成するように制御する制御ステップと、
を有することを特徴とする撮像装置の制御方法。
【請求項１９】
コンピュータを、請求項１ないし１７の何れか１項に記載の撮像装置の制御手段として機能させるためのプログラム。
【請求項２０】
コンピュータを、請求項１ないし１７の何れか１項に記載の撮像装置の制御手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
本発明の撮像装置は、撮像手段と、表示手段に、前記撮像手段で撮影されたライブビュー画像とともに、前記ライブビュー画像における領域であって、前記ライブビュー画像に含まれる被写体にかかわらない位置であり、前記ライブビュー画像の端部を含まず、パノラマ画像を生成する際に第１の画像から切り出される領域内であって、切り出される領域の境界を含まない所定の領域を示すガイドを表示するように制御する表示制御手段と、パノラマ撮影における一連の撮影で撮像された複数の画像のうち、前記第１の画像における前記所定の領域に対応する領域の全体を含む第１の部分領域と、前記複数の画像のうち前記第１の画像以外における複数の部分領域とを合成してパノラマ画像を生成するように制御する制御手段と、を有することを特徴とする。